(57)【要約】【課題】画像形成装置の動作の設定変更を不要にする。【解決手段】画像形成装置は、トナーカートリッジと、ドラムカートリッジと、制御部と、を備える。トナーカートリッジは、トナーを収容可能である。ドラムカートリッジは、トナーカートリッジが装着可能であり、感光体ドラムと、ドラムカートリッジの種別を示す第１種別情報が記憶されたドラムメモリと、を有する。制御部は、ドラムメモリと通信可能である。制御部は、ドラムメモリから第１種別情報を読み取り（Ｓ２）、第１種別情報が表す種別に応じて、画像形成装置の動作を変更する（Ｓ３１〜Ｓ３４）。【選択図】図３
2020160412.tif 000002
【特許請求の範囲】
【請求項１】
画像形成装置であって、
トナーを収容可能なトナーカートリッジと、
前記トナーカートリッジが装着可能なドラムカートリッジであって、感光体ドラムと、前記ドラムカートリッジの種別を示す第１種別情報が記憶されたドラムメモリと、を有するドラムカートリッジと、
前記ドラムメモリと通信可能な制御部と、を備え、
前記制御部は、
前記ドラムメモリから前記第１種別情報を読み取り、
前記第１種別情報が表す種別に応じて、前記画像形成装置の動作を変更することを特徴とする画像形成装置。
【請求項２】
前記第１種別情報は、前記ドラムカートリッジが通常版または特殊版であることを示すことを特徴とする請求項１に記載の画像形成装置。
【請求項３】
前記第１種別情報は、前記通常版、または、前記特殊版としての廉価版であることを示すことを特徴とする請求項２に記載の画像形成装置。
【請求項４】
前記トナーカートリッジは、さらに、前記トナーカートリッジの種別を示す第２種別情報が記憶されたトナーメモリを備え、
前記制御部は、
前記トナーメモリと通信可能であり、
前記トナーメモリから、前記第２種別情報を読み取り、前記第１種別情報と前記第２種別情報とが表す種別に応じて、前記画像形成装置の動作を変更することを特徴とする請求項１から請求項３のいずれか１項に記載の画像形成装置。
【請求項５】
前記画像形成装置は、さらに、ディスプレイを備え、
前記第１種別情報は、前記ドラムカートリッジが通常版、または、特殊版であることを示し、
前記第２種別情報は、前記トナーカートリッジが通常版、または、特殊版であることを示し、
前記制御部は、前記第１種別情報が前記通常版であり、かつ、前記第２種別情報が前記特殊版であると判定した場合、前記ディスプレイにエラーを表示させることを特徴とする請求項４に記載の画像形成装置。
【請求項６】
前記画像形成装置は、さらに、ディスプレイを備え、
前記第１種別情報は、前記ドラムカートリッジが通常版、または、特殊版であることを示し、
前記第２種別情報は、前記トナーカートリッジが通常版、または、特殊版であることを示し、
前記制御部は、前記第１種別情報が前記特殊版であり、かつ、前記第２種別情報が前記通常版であると判定した場合、前記ディスプレイにエラーを表示させることを特徴とする請求項４または請求項５に記載の画像形成装置。
【請求項７】
前記第１種別情報は、前記ドラムカートリッジが前記通常版、または、前記特殊版としての廉価版であることを示し、
前記第２種別情報は、前記トナーカートリッジが前記通常版、または、前記特殊版としての廉価版であることを示すことを特徴とする請求項５または請求項６に記載の画像形成装置。
【請求項８】
前記第１種別情報は、前記ドラムカートリッジが通常版、廉価版、または、画像形成装置に同梱して販売されたドラムカートリッジである同梱版であることを示し、
前記第２種別情報は、前記トナーカートリッジが通常版、廉価版、または、画像形成装置に同梱して販売されたトナーカートリッジである同梱版であることを示し、
前記制御部は、前記第１種別情報が前記同梱版であり、かつ、前記第２種別情報が前記廉価版であると判定した場合、所定回数に限り、前記第１種別情報を前記同梱版から前記廉価版であることを示す情報に書き換えることを特徴とする請求項５から請求項７のいずれか１項に記載の画像形成装置。
【請求項９】
前記所定回数は、１回であることを特徴とする請求項８に記載の画像形成装置。
【発明の詳細な説明】
【技術分野】
【０００１】
本開示は、ドラムカートリッジとトナーカートリッジとを装着可能な画像形成装置に関する。
【背景技術】
【０００２】
従来、通常版のトナーカートリッジと廉価版のトナーカートリッジを装着可能な画像形成装置が知られている（特許文献１参照）。この画像形成装置では、廉価版のトナーカートリッジが契約した顧客に対してのみ使用できるように、画像形成装置の動作設定を個別の装置ごとに変更する。
【先行技術文献】
【特許文献】
【０００３】
【特許文献１】特開２００８−２５７０８１号公報
【発明の概要】
【発明が解決しようとする課題】
【０００４】
しかしながら、特許文献１の画像形成装置は、画像形成装置の動作の設定変更に手間がかかるという問題点があった。
【０００５】
そこで、本開示は、画像形成装置の動作の設定変更を不要にすることを目的とする。
【課題を解決するための手段】
【０００６】
上述の課題を解決するため、本開示の画像形成装置は、トナーカートリッジと、ドラムカートリッジと、制御部と、を備える。トナーカートリッジは、トナーを収容可能である。ドラムカートリッジは、トナーカートリッジが装着可能であり、感光体ドラムと、ドラムカートリッジの種別を示す第１種別情報が記憶されたドラムメモリと、を有する。制御部は、ドラムメモリと通信可能である。制御部は、ドラムメモリから第１種別情報を読み取り、第１種別情報が表す種別に応じて、画像形成装置の動作を変更する。
【０００７】
この構成によれば、ドラムメモリに記憶された第１種別情報に応じて動作を変更するので、画像形成装置の動作の設定変更を不要にすることができる。
【０００８】
前記した構成において、第１種別情報は、ドラムカートリッジが通常版または特殊版であることを示す構成としてもよい。
【０００９】
前記した構成において、第１種別情報は、通常版、または、特殊版としての廉価版であることを示す構成としてもよい。
【００１０】
前記した構成において、トナーカートリッジは、さらに、トナーカートリッジの種別を示す第２種別情報が記憶されたトナーメモリを備え、制御部は、トナーメモリと通信可能であり、トナーメモリから、第２種別情報を読み取り、第１種別情報と第２種別情報とが表す種別に応じて、画像形成装置の動作を変更する構成としてもよい。
【００１１】
この構成によれば、ドラムメモリに記憶された第１種別情報とトナーメモリに記憶された第２種別情報とに応じて動作を変更するので、画像形成装置の動作の設定変更を不要にすることができる。
【００１２】
前記した構成において、画像形成装置は、さらに、ディスプレイを備え、第１種別情報は、ドラムカートリッジが通常版、または、特殊版であることを示し、第２種別情報は、トナーカートリッジが通常版、または、特殊版であることを示し、制御部は、第１種別情報が通常版であり、かつ、第２種別情報が特殊版であると判定した場合、ディスプレイにエラーを表示させる構成としてもよい。
【００１３】
これによれば、ドラムカートリッジが通常版であり、かつ、トナーカートリッジが特殊版である場合にディスプレイにエラーを表示することができるので、装着したカートリッジが適正でないことを報知できる。
【００１４】
前記した構成において、画像形成装置は、さらに、ディスプレイを備え、第１種別情報は、ドラムカートリッジが通常版、または、特殊版であることを示し、第２種別情報は、トナーカートリッジが通常版、または、特殊版であることを示し、制御部は、第１種別情報が特殊版であり、かつ、第２種別情報が通常版であると判定した場合、ディスプレイにエラーを表示させる構成としてもよい。
【００１５】
これによれば、ドラムカートリッジが特殊版であり、かつ、トナーカートリッジが通常版である場合にディスプレイにエラーを表示することができるので、装着したカートリッジが適正でないことを報知できる。
【００１６】
前記した構成において、第１種別情報は、ドラムカートリッジが通常版、または、特殊版としての廉価版であることを示し、第２種別情報は、トナーカートリッジが通常版、または、特殊版としての廉価版であることを示す構成としてもよい。
【００１７】
前記した構成において、第１種別情報は、ドラムカートリッジが通常版、廉価版、または、画像形成装置に同梱して販売されたドラムカートリッジである同梱版であることを示し、第２種別情報は、トナーカートリッジが通常版、廉価版、または、画像形成装置に同梱して販売されたトナーカートリッジである同梱版であることを示し、制御部は、第１種別情報が同梱版であり、かつ、第２種別情報が廉価版であると判定した場合、所定回数に限り、第１種別情報を同梱版から廉価版であることを示す情報に書き換える構成としてもよい。
【００１８】
これによれば、ドラムカートリッジが同梱版であり、かつ、トナーカートリッジが廉価版である場合に、所定回数に限り、第１種別情報を同梱版から廉価版であることを示す情報に書き換えることで、トナーカートリッジが廉価版であっても、同梱版のドラムカートリッジを使用できる。このため、同梱版のドラムカートリッジが無駄になることを抑制できる。また、同梱版のドラムカートリッジの第１種別情報の書き換えを所定回数に限ることで、他の画像形成装置に同梱されていたドラムカートリッジを装着しても、第１種別情報を同梱版から廉価版に書き換えることを抑制できる。
【発明の効果】
【００１９】
本開示の画像形成装置によれば、画像形成装置の動作の設定変更を不要にすることができる。
【図面の簡単な説明】
【００２０】
【図１】実施形態に係る画像形成装置の断面図である。
【図２】第１実施形態における、種別情報に応じたエラー表示を示す図である。
【図３】第１実施形態における制御を示すフローチャートである。
【図４】第２実施形態における、種別情報に応じたエラー表示を示す図である。
【図５】第２実施形態における制御を示すフローチャートである。
【図６】図５のフローチャートの続きである。
【発明を実施するための形態】
【００２１】
次に、本開示の第１実施形態について、適宜図面を参照しながら詳細に説明する。
図１に示すように、画像形成装置１はモノクロ用のレーザプリンタである。画像形成装置１は、装置本体２と、フィーダ部３と、画像形成部４と、制御装置１００と、本体メモリ１１０と、ディスプレイ２６と、を備える。
【００２２】
装置本体２は、中空のケース状である。装置本体２は、左右一対の側壁２１と、側壁２１を繋ぐ前壁２２とを有している。前壁２２は、本体開口２２Ａを有する。前壁２２には、本体開口２２Ａを開閉するフロントカバー２３が設けられている。
【００２３】
フィーダ部３は、供給トレイ３１と、供給機構３２とを備えている。供給トレイ３１は、装置本体２の下部に着脱可能に装着される。供給機構３２は、供給トレイ３１と、供給トレイ３１内のシートＳを画像形成部４に向けて給紙する。
【００２４】
画像形成部４は、スキャナユニット５と、定着装置７と、ドラムカートリッジ８と、トナーカートリッジ９とを備えている。
【００２５】
スキャナユニット５は、装置本体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００２６】
制御装置１００は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行している。
【００２７】
ディスプレイ２６は、装置本体２の外表面に位置している。ディスプレイ２６は、制御装置１００の指令に基づいて、各種メッセージを表示する。
【００２８】
ドラムカートリッジ８は、フィーダ部３とスキャナユニット５との間に配置されている。ドラムカートリッジ８は、装置本体２に対して着脱可能である。具体的に、ドラムカートリッジ８は、装置本体２のフロントカバー２３で開閉される本体開口２２Ａを通して、装置本体２に対して着脱可能である。トナーカートリッジ９は、ドラムカートリッジ８に対して着脱可能である。トナーカートリッジ９は、ドラムカートリッジ８に組み付けられた状態で、装置本体２に対して着脱される。
【００２９】
ドラムカートリッジ８は、フレーム８０と、感光体ドラム８１と、転写ローラ８２と、帯電器８３と、ドラムメモリ８５とを有している。フレーム８０は、トナーカートリッジ９を装着可能である。感光体ドラム８１は、フレーム８０に回転可能に支持されている。
【００３０】
ドラムメモリ８５は、例えば、ＩＣチップなどの情報を記憶する媒体であり、ＩＣチップに限られない。ドラムメモリ８５には、ドラムカートリッジ８の種別を示す第１種別情報が記憶されている。
【００３１】
トナーカートリッジ９は、筐体９０と、現像ローラ９１と、供給ローラ９２と、ブレード９３と、トナーメモリ９５とを有している。筐体９０は、内部にトナーを収容可能である。現像ローラ９１は感光体ドラム８１にトナーを供給する。供給ローラ９２は筐体９０のトナーを現像ローラ９１に供給する。ブレード９３は、現像ローラ９１に供給されたトナーの層厚を規制する。
【００３２】
トナーメモリ９５は、例えば、ＩＣチップなどの情報を記憶する媒体であり、ＩＣチップに限られない。トナーメモリ９５には、トナーカートリッジ９の種別を示す第２種別情報が記憶されている。
【００３３】
このドラムカートリッジ８では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００３４】
次いで、回転駆動される現像ローラ９１によってトナーカートリッジ９内のトナーが感光体ドラム８１の静電潜像に供給されて、感光体ドラム８１の表面上にトナー像が形成される。その後、感光体ドラム８１と転写ローラ８２の間でシートＳが搬送されることで、感光体ドラム８１の表面に担持されているトナー像がシートＳ上に転写される。
【００３５】
定着装置７は、加熱ローラ７１と、加圧ローラ７２とを備えている。加圧ローラ７２は、加熱ローラ７１と向かいあって位置している。加圧ローラ７２は、加熱ローラ７１を押圧する。定着装置７は、シートＳ上に転写されたトナーを、シートＳが加熱ローラ７１と加圧ローラ７２との間を通過する間に熱定着する。
【００３６】
定着装置７で熱定着されたシートＳは、定着装置７の下流側に配設される排紙ローラ２４に搬送され、この排紙ローラ２４から排紙トレイ２５上に送り出される。
【００３７】
制御装置１００は、ドラムメモリ８５と通信可能である。制御装置１００は、ドラムメモリ８５から第１種別情報を読み取る。制御装置１００は、第１種別情報が表す種別に応じて、画像形成装置１の動作を変更する。
【００３８】
制御装置１００は、トナーメモリ９５と通信可能である。制御装置１００は、トナーメモリ９５から第２種別情報を読み取る。制御装置１００は、第１種別情報と第２種別情報が表す種別に応じて、画像形成装置１の動作を変更する。
【００３９】
具体的には、制御装置１００は、第１種別情報と第２種別情報が表す種別に応じて、ドラムカートリッジ８およびトナーカートリッジ９に関するエラーがあるかを判定する。エラーがない場合、印刷ジョブが入力された場合に画像形成を実行する。一方、エラーがある場合、印刷ジョブが入力された場合にディスプレイ２６にエラーを表示する。このようにして、制御装置１００は、画像形成装置１の動作を変更する。なお、エラーがある場合、画像形成を禁止してもよいし、禁止しなくてもよいが、本実施形態では、画像形成を禁止する。
【００４０】
図２に示すように、本実施形態では、第１種別情報は、ドラムカートリッジ８が通常版、または特殊版の一例としての廉価版であることを示す。特殊版とは、通常版と異なる種別であり、特殊な種別のドラムカートリッジ８である。特殊版は、一例として、契約した顧客に対して通常版より安価で提供される廉価版があげられるが、これに限られず、通常版と異なる種別であればよい。
【００４１】
第２種別情報は、トナーカートリッジ９が通常版、または特殊版の一例としての廉価版であることを示す。特殊版とは、通常版と異なる種別であり、特殊な種別のトナーカートリッジ９である。特殊版は、一例として、契約した顧客に対して通常版より安価で提供される廉価版があげられるが、これに限られず、通常版と異なる種別であればよい。
【００４２】
制御装置１００は、第１種別情報が通常版であり、かつ、第２種別情報が通常版であると判定した場合、ディスプレイ２６にエラーを表示させない。
制御装置１００は、第１種別情報が通常版であり、かつ、第２種別情報が廉価版（特殊版）であると判定した場合、ディスプレイ２６にエラーを表示させる。
制御装置１００は、第１種別情報が廉価版（特殊版）であり、かつ、第２種別情報が通常版であると判定した場合、ディスプレイ２６にエラーを表示させる。
制御装置１００は、第１種別情報が廉価版（特殊版）であり、かつ、第２種別情報が特殊版（廉価版）であると判定した場合、ディスプレイ２６にエラーを表示させない。
【００４３】
次に、第１実施形態における制御装置１００が、第１種別情報と第２種別情報が表す種別に応じて、エラーがあるかないかを判定する処理の一例について、図３のフローチャートで説明する。
【００４４】
図３に示すように、制御装置１００は、画像形成装置１が電源ＯＮ、またはフロントカバー２３が閉じられたと判定した場合（Ｓ１，Ｙｅｓ）には、制御装置１００は、ドラムカートリッジ８とトナーカートリッジ９が交換されたかもしれないとして、ドラムメモリ８５から第１種別情報を読み取り（Ｓ２）、トナーメモリ９５から第２種別情報を読み取る（Ｓ３）。制御装置１００は、電源ＯＮ、またはフロントカバー２３が閉じられたと判定しない場合（Ｓ１，Ｎｏ）には、画像形成装置１が電源ＯＮ、またはフロントカバー２３が閉じられるまで待つ。
【００４５】
ステップＳ３の後、制御装置１００は、第１種別情報は通常版であるかを判定する（Ｓ４）。
【００４６】
ステップＳ４において、制御装置１００は、第１種別情報が通常版であると判定した場合（Ｓ４，Ｙｅｓ）、第２種別情報は通常版であるかを判定する（Ｓ１１）。
【００４７】
ステップＳ１１において、制御装置１００は、第２種別情報は通常版であると判定した場合（Ｓ１１，Ｙｅｓ）、ドラムカートリッジ８が通常版であり、トナーカートリッジ９が通常版であるので、ディスプレイ２６にエラーを表示しない（Ｓ２１）。
【００４８】
ステップＳ１１において、制御装置１００は、第２種別情報は通常版でないと判定した場合（Ｓ１１，Ｎｏ）、ドラムカートリッジ８が通常版であり、トナーカートリッジ９が廉価版であるので、ディスプレイ２６にエラーを表示させる（Ｓ２２）。
【００４９】
制御装置１００は、ステップＳ４において、第１種別情報が通常版でないと判定した場合（Ｓ４，Ｎｏ）、第２種別情報は通常版であるかを判定する（Ｓ１２）。
ステップＳ１２において、制御装置１００は、第２種別情報は通常版であると判定した場合（Ｓ１２，Ｙｅｓ）、ドラムカートリッジ８が廉価版であり、トナーカートリッジ９が通常版であるので、ディスプレイ２６にエラーを表示させる（Ｓ２３）。
【００５０】
ステップＳ１２において、制御装置１００は、第２種別情報は通常版でないと判定した場合（Ｓ１２，Ｎｏ）、ドラムカートリッジ８が廉価版であり、トナーカートリッジ９が廉価版であるので、ディスプレイ２６にエラーを表示しない（Ｓ２４）。
【００５１】
上述した第１実施形態の画像形成装置１によれば、次のような効果を奏することができる。
【００５２】
画像形成装置のメーカーは、特別版のトナーカートリッジを提供することがある。特別版のトナーカートリッジとは、一例として、契約した顧客に対して提供する通常版より安価な廉価版のトナーカートリッジがあげられる。この特別版（廉価版）のトナーカートリッジが契約した顧客以外では使用されないようにするために、特別版（廉価版）を使用する顧客の画像形成装置の動作設定を個別の装置ごとに変更している。画像形成装置の動作設定を変更するためには、専用ソフトをインストールしたり、メーカーのサービスマンが顧客に訪問するなどの何らかの手間がかかるので、顧客とメーカーの負担となる場合があった。
しかし、画像形成装置１では、制御装置１００がドラムメモリ８５に記憶された第１種別情報に応じて動作を変更するので、画像形成装置の動作の設定変更を不要にすることができる。
例えば、顧客に廉価版のトナーカートリッジ９を提供することを契約した場合、ドラムカートリッジ８に記憶された第１種別情報を使用すれば、画像形成装置の動作を設定変更できる。つまり、所定のドラムカートリッジ９を使用することをトリガーとして画像形成装置の動作を変更することができる。さらに、顧客との契約を解除するときにも、所定のドラムカートリッジ９の使用をやめればよいので、画像形成装置の動作の設定変更を不要にできる。
【００５３】
また、トナーカートリッジ９は、トナーカートリッジ９の種別を示す第２種別情報が記憶されたトナーメモリ９５を備え、第１種別情報と第２種別情報とが表す種別に応じて、画像形成装置１の動作を変更する。このため、画像形成装置１の動作の設定変更を不要にできる。
【００５４】
また、制御装置１００は、ドラムカートリッジ８が通常版であり、かつ、トナーカートリッジ９が特殊版である場合にディスプレイ２６にエラーを表示するので、装着したカートリッジが適正でないことを報知できる。
【００５５】
また、制御装置１００は、ドラムカートリッジ８が特殊版であり、かつ、トナーカートリッジ９が通常版である場合にディスプレイ２６にエラーを表示するので、装着したカートリッジが適正でないことを報知できる。
【００５６】
次に、本開示の第２実施形態について、適宜図面を参照しながら詳細に説明する。
図４に示すように、第２実施形態は、第１種別情報および第２種別情報に同梱版が含まれることが第１実施形態と異なる。同梱版とは、画像形成装置１に同梱して販売されたカートリッジである。
【００５７】
具体的に、第２実施形態では、第１種別情報は、ドラムカートリッジ８が通常版、廉価版、または、同梱版であることを示す。同様に、第２種別情報は、トナーカートリッジ９が通常版、廉価版、または、同梱版であることを示す。
【００５８】
制御装置１００は、第１種別情報が通常版であり、かつ、第２種別情報が通常版であると判定した場合、ディスプレイ２６にエラーを表示させない。
制御装置１００は、第１種別情報が通常版であり、かつ、第２種別情報が廉価版（特殊版）であると判定した場合、ディスプレイ２６にエラーを表示させる。
制御装置１００は、第１種別情報が通常版であり、かつ、第２種別情報が同梱版であると判定した場合、ディスプレイ２６にエラーを表示させない。
【００５９】
制御装置１００は、第１種別情報が廉価版（特殊版）であり、かつ、第２種別情報が通常版であると判定した場合、ディスプレイ２６にエラーを表示させる。
制御装置１００は、第１種別情報が廉価版（特殊版）であり、かつ、第２種別情報が廉価版（特殊版）であると判定した場合、ディスプレイ２６にエラーを表示させない。
制御装置１００は、第１種別情報が廉価版（特殊版）であり、かつ、第２種別情報が同梱版であると判定した場合、ディスプレイ２６にエラーを表示させない。
【００６０】
制御装置１００は、第１種別情報が同梱版であり、かつ、第２種別情報が通常版であると判定した場合、ディスプレイ２６にエラーを表示させない。
制御装置１００は、第１種別情報が同梱版であり、かつ、第２種別情報が廉価版（特殊版）であると判定した場合、所定回数に限り、第１種別情報を同梱版から廉価版であることを示す情報に書き換える。このときの書換回数は、本体メモリ１１０に記憶される。本実施形態では、所定回数は、１回であり、書換回数の初期値は０とする。
制御装置１００は、第１種別情報が同梱版であり、かつ、第２種別情報が同梱版であると判定した場合、ディスプレイ２６にエラーを表示させない。
【００６１】
次に、第２実施形態における制御装置１００が、第１種別情報と第２種別情報が表す種別に応じて、エラーがあるかないかを判定する処理の一例について、図５，６のフローチャートを参照して説明する。なお、ステップＳ１〜Ｓ４までは、第１実施形態と同じであるため説明を省略する。
【００６２】
図５に示すように、ステップＳ４において、制御装置１００は、第１種別情報が通常版であると判定した場合（Ｓ４，Ｙｅｓ）、第２種別情報は廉価版であるかを判定する（Ｓ４１）。
【００６３】
ステップＳ４１において、制御装置１００は、第２種別情報は廉価版でないと判定した場合（Ｓ４１，Ｎｏ）、ドラムカートリッジ８が通常版であり、トナーカートリッジ９が通常版または同梱版であるので、ディスプレイ２６にエラーを表示させない（Ｓ５１）。
【００６４】
ステップＳ４１において、制御装置１００は、第２種別情報は廉価版であると判定した場合（Ｓ４１，Ｙｅｓ）、ドラムカートリッジ８が通常版であり、トナーカートリッジ９が廉価版であるので、ディスプレイ２６にエラーを表示させる（Ｓ５２）。
【００６５】
図６に示すように、ステップＳ４において、制御装置１００は、第１種別情報が通常版でないと判定した場合（Ｓ４，Ｎｏ）、第１種別情報は廉価版であるかを判定する（Ｓ５）。
ステップＳ５において、制御装置１００は、第１種別情報が廉価版であると判定した場合（Ｓ５，Ｙｅｓ）、第２種別情報は通常版であるかを判定する（Ｓ４２）。
【００６６】
ステップＳ４２において、制御装置１００は、第２種別情報は通常版であると判定した場合（Ｓ４２，Ｙｅｓ）、ドラムカートリッジ８が廉価版であり、トナーカートリッジ９が通常版であるので、ディスプレイ２６にエラーを表示させる（Ｓ５３）。
【００６７】
ステップＳ４２において、制御装置１００は、第２種別情報は通常版でないと判定した場合（Ｓ４２，Ｎｏ）、ドラムカートリッジ８が廉価版であり、トナーカートリッジ９が廉価版または同梱版であるので、ディスプレイ２６にエラーを表示させない（Ｓ５４）。
【００６８】
ステップＳ５において、制御装置１００は、第１種別情報が廉価版でないと判定した場合（Ｓ５，Ｎｏ）、第２種別情報は廉価版であるかを判定する（Ｓ４３）。
ステップＳ４３において、制御装置１００は、第２種別情報は廉価版でないと判定した場合（Ｓ４３，Ｎｏ）、ドラムカートリッジ８が同梱版であり、トナーカートリッジ９が通常版または同梱版であるので、ディスプレイ２６にエラーを表示させない（Ｓ５５）。
【００６９】
ステップＳ４３において、制御装置１００は、第２種別情報は廉価版であると判定した場合（Ｓ４３，Ｙｅｓ）、ドラムカートリッジ８が同梱版であり、トナーカートリッジ９が廉価版であり、第１種別情報の書換回数が０回であるかを判定する（Ｓ５７）。
【００７０】
ステップＳ５７において、制御装置１００は、第１種別情報の書換回数が０回でないと判定した場合（Ｓ５７，Ｎｏ）、ディスプレイ２６にエラーを表示させる（Ｓ６０）。
【００７１】
ステップＳ５７において、制御装置１００は、第１種別情報の書換回数が０回であると判定した場合（Ｓ５７，Ｙｅｓ）、第１種別情報を同梱版から廉価版に書き換える（Ｓ５８）。ステップＳ５８の後、制御装置１００は、本体メモリ１１０に記憶されている第１種別情報の書換回数を０回から１回にカウントアップし（Ｓ６５）、ステップＳ２に制御を移行する。すると、制御装置１００は、ドラムカートリッジ８が廉価版であり、トナーカートリッジ９が廉価版または同梱版であると判定するので、ディスプレイ２６にエラーを表示しないこととなる（Ｓ５４）。
【００７２】
上述した第２実施形態の画像形成装置１によれば、次のような効果を奏することができる。
【００７３】
第２実施形態の画像形成装置１によれば、ドラムカートリッジ８が同梱版であり、かつ、トナーカートリッジ９が廉価版である場合に、所定回数に限り、第１種別情報を同梱版から廉価版であることを示す情報に書き換えるので、トナーカートリッジ９が廉価版であっても、同梱版のドラムカートリッジ８をそのまま使用できる。このため、同梱版のドラムカートリッジ８が無駄にならない。また、同梱版のドラムカートリッジ８の第１種別情報の書き換えを所定回数に限ることで、他の画像形成装置に同梱されていたドラムカートリッジ８を装着しても、所定回数を超えていれば書き換えされないので、第１種別情報を同梱版から廉価版に書き換えることを抑制できる。このため、廉価版のドラムカートリッジ８を契約していない顧客が廉価版のトナーカートリッジ９を使用することを抑制できる。
【００７４】
なお、本開示は前記実施形態に限定されることなく、以下に例示するように様々な形態で利用できる。
【００７５】
上述した実施形態においては、画像形成装置として、モノクロ用のレーザプリンタを例示したが、画像形成装置は、カラー用のレーザプリンタであってもよく、コピー機や複合機であってもよい。
【００７６】
上述した実施形態においては、エラーメッセージをディスプレイ２６に表示していたが、エラーメッセージを他の場所（例えば画像形成装置に接続されたパソコンなど）に表示してもよいし、音声など他の方法でユーザーに報知してもよい。
【００７７】
上述した実施形態および変形例で説明した各要素を、任意に組み合わせて実施することもできる。
【符号の説明】
【００７８】
１      画像形成装置
２      装置本体
８      ドラムカートリッジ
９      トナーカートリッジ
２６    ディスプレイ
８１    感光体ドラム
８５    ドラムメモリ
９１    現像ローラ
９５    トナーメモリ
１００  制御装置
【図１】
2020160412.tif 000003
【図２】
2020160412.tif 000004
【図３】
2020160412.tif 000005
【図４】
2020160412.tif 000006
【図５】
2020160412.tif 000007
【図６】
2020160412.tif 000008